(57)【特許請求の範囲】
【請求項１】
ハウジング内に形成される第１空間に圧縮部、及び前記圧縮部の駆動源である電動モータが収容されており、前記電動モータを駆動させるための駆動回路が、仕切壁により前記第１空間から隔離された第２空間に配設され、前記駆動回路と電気的に接続された導電部材が前記仕切壁に固定され、前記導電部材と前記電動モータとを電気的に接続する電気的接続部の一部が、前記ハウジングと前記電動モータとの間に形成された挿通空間に挿通されており、前記仕切壁に前記駆動回路が熱的に結合された電動圧縮機であって、
前記ハウジングには、吸入ポートが形成されるとともに、前記吸入ポート及び前記挿通空間よりも前記仕切壁から離れた位置に吐出ポートが形成されており、さらに、前記挿通空間には、前記吸入ポートからハウジング内に吸入された冷媒が、前記挿通空間を介して前記ハウジング内における前記吐出ポート側へ流れることを抑制する抑制部材が設けられていることを特徴とする電動圧縮機。
【請求項２】
前記電動モータを構成するロータと一体的に回転する回転軸が前記ハウジング内に収容されており、前記圧縮部、前記電動モータ及び前記駆動回路がこの順序で前記回転軸の軸方向に沿って並んで配置され、前記電気的接続部の少なくとも一部を構成するとともに前記電動モータから前記挿通空間に向けて引き出されるリード線は、前記圧縮部側から引き出されていることを特徴とする請求項１に記載の電動圧縮機。
【請求項３】
前記電気的接続部は、前記リード線と、前記導電部材と前記リード線とを電気的に接続する接続端子を内部に収容するクラスタブロックとからなり、
前記クラスタブロックが前記挿通空間に配設されるとともに、前記電動モータのステータコアの外周面に取り付けられていることを特徴とする請求項２に記載の電動圧縮機。
【請求項４】
前記抑制部材は前記クラスタブロックに一体的に設けられていることを特徴とする請求項３に記載の電動圧縮機。
【請求項５】
前記抑制部材は、前記ハウジング及び前記電動モータと接触していることを特徴とする請求項１〜請求項４のいずれか一項に記載の電動圧縮機。
【請求項６】
ハウジング内に形成される第１空間に圧縮部、及び前記圧縮部の駆動源である電動モータが収容されており、前記電動モータを駆動させるための駆動回路が、仕切壁により前記第１空間から隔離された第２空間に配設され、前記駆動回路と電気的に接続された導電部材が前記仕切壁に固定され、前記導電部材と前記電動モータとを電気的に接続する電気的接続部の一部が、前記ハウジングと前記圧縮部との間に形成された挿通空間に挿通されており、前記仕切壁に前記駆動回路が熱的に結合された電動圧縮機であって、
前記ハウジングには、吸入ポートが形成されるとともに、前記吸入ポート及び前記挿通空間よりも前記仕切壁から離れた位置に吐出ポートが形成されており、さらに、前記挿通空間には、前記圧縮部より吐出された冷媒が、前記挿通空間を介して前記ハウジング内における前記仕切壁側へ流れることを抑制する抑制部材が設けられていることを特徴とする電動圧縮機。
【請求項７】
前記駆動回路は、前記第２空間において前記仕切壁に取り付けられていることを特徴とする請求項１〜請求項６のいずれか一項に記載の電動圧縮機。
【請求項８】
前記抑制部材は樹脂材料からなることを特徴とする請求項１〜請求項７のいずれか一項に記載の電動圧縮機。
【請求項９】
前記抑制部材には、前記電気的接続部の一部が挿通される挿通部が設けられていることを特徴とする請求項１〜請求項８のいずれか一項に記載の電動圧縮機。
【発明の詳細な説明】
【技術分野】
【０００１】
本発明は、電動圧縮機に関する。
【背景技術】
【０００２】
冷媒を圧縮して吐出する圧縮部と、圧縮部の駆動源である電動モータと、電動モータを駆動させるためのインバータ（駆動回路）とを備えた電動圧縮機として、例えば特許文献１のものがある。特許文献１の電動コンプレッサ（電動圧縮機）はモータハウジングを備えるとともに、モータハウジングの前方側の端部にはフロントハウジングが接合されている。モータハウジングとフロントハウジングとの間の空間部には電動モータ及び圧縮機構部（圧縮部）が収容されている。モータハウジングの後方側の端部である底部（仕切壁）には、インバータハウジングが接合されている。モータハウジングの底部とインバータハウジングとの間のインバータ収容室にはインバータが底部に固定された状態で収容されている。モータハウジングの上方側に位置する部位の一部は、径方向外側に突出して通路形成部を形成している。通路形成部の内部には、通路形成部の内周面とステータ（ステータコア）の外周面とによって配線通路（挿通空間）が区画されている。
【０００３】
配線通路には、樹脂材料製のクラスタブロックが配設されている。クラスタブロックは、接合部材を介してステータの外周面に固定されている。底部には、インバータと電気的に接続される導電部材が配線通路に向けて延びるように固定されている。電動モータからはリード線が配線通路に向けて引き出されている。導電部材とリード線とは、クラスタブロック内の接続端子を介して電気的に接続されている。電動コンプレッサの組み立て時において、クラスタブロックは、ステータの外周面に固定された状態でモータハウジング内に嵌入されて配線通路に配置される。
【０００４】
また、モータハウジングには配線通路に開口される吸入ポートが形成されている。吸入ポートは、モータハウジングにおいて、クラスタブロックが配置される位置よりも底部側に配置されている。また、フロントハウジングには吐出ポートが形成されている。そして、吸入ポートからモータハウジング内に冷媒が吸入されるとともに、モータハウジング内に吸入された冷媒により底部が冷却される。この冷媒による底部の冷却により、底部に固定されたインバータが冷却される。
【先行技術文献】
【特許文献】
【０００５】
【特許文献１】特開２０１０−５９８０９号公報
【発明の概要】
【発明が解決しようとする課題】
【０００６】
しかしながら、特許文献１の電動コンプレッサの組み立て時においては、クラスタブロックがモータハウジングに干渉しないようにクラスタブロックとモータハウジングとの間に隙間が設けられている。また、ステータは、焼き嵌めによってモータハウジングの内側に嵌合されている。この焼き嵌めは、モータハウジングが加熱膨張された後にモータハウジング内にステータを入れ、モータハウジングの常温への移行に伴う収縮によってモータハウジングをステータの外周面に圧接させることにより行われる。すなわち、モータハウジングは加熱膨張されるときに高温になるため、高温になったモータハウジングにクラスタブロックが接触して、クラスタブロックが溶融してしまうことがないように、クラスタブロックとモータハウジングとの間には隙間が設けられている。
【０００７】
このように、クラスタブロックとモータハウジングとの間に隙間が設けられていると、吸入ポートからモータハウジング内に吸入された冷媒は、この隙間を介してフロントハウジング側（吐出ポート側）へ流れてしまう。よって、底部に向かって流れる冷媒の量が少なくなってしまい、冷媒によって底部を効率良く冷却することができなくなってしまう。その結果として、インバータの冷却性が悪化してしまう。
【０００８】
なお、こうした問題は、導電部材と電動モータとを電気的に接続する電気的接続部の一部が挿通される挿通空間が形成される電動圧縮機であれば概ね共通したものであるといえる。
【０００９】
また、インバータ、圧縮部及び電動モータがこの順序で回転軸の軸方向に沿って並んで配置される電動圧縮機においては、ハウジングの内面と圧縮部の外周面とによって挿通空間が区画され、電気的接続部の一部が挿通空間に挿通されている。この場合、圧縮部で圧縮されて高温高圧となった冷媒の一部が、挿通空間を介して仕切壁側へ流れてしまう虞がある。すると、高温高圧となった冷媒によって仕切壁が温められてしまい、その結果として、インバータの冷却性が悪化してしまう。
【００１０】
本発明は、上記課題を解決するためになされたものであって、その目的は、駆動回路の冷却性を良好なものにすることができる電動圧縮機を提供することにある。
【課題を解決するための手段】
【００１１】
上記目的を達成するために、請求項１に記載の発明は、ハウジング内に形成される第１空間に圧縮部、及び前記圧縮部の駆動源である電動モータが収容されており、前記電動モータを駆動させるための駆動回路が、仕切壁により前記第１空間から隔離された第２空間に配設され、前記駆動回路と電気的に接続された導電部材が前記仕切壁に固定され、前記導電部材と前記電動モータとを電気的に接続する電気的接続部の一部が、前記ハウジングと前記電動モータとの間に形成された挿通空間に挿通されており、前記仕切壁に前記駆動回路が熱的に結合された電動圧縮機であって、前記ハウジングには、吸入ポートが形成されるとともに、前記吸入ポート及び前記挿通空間よりも前記仕切壁から離れた位置に吐出ポートが形成されており、さらに、前記挿通空間には、前記吸入ポートからハウジング内に吸入された冷媒が、前記挿通空間を介して前記ハウジング内における前記吐出ポート側へ流れることを抑制する抑制部材が設けられていることを要旨とする。
【００１２】
この発明によれば、抑制部材により、吸入ポートからハウジング内に吸入された冷媒が、挿通空間を介して吐出ポート側へ流れることを抑制することができる。よって、吸入ポートからハウジング内に吸入された冷媒のほとんどを仕切壁に向けて流すことができ、仕切壁に向かって流れた冷媒によって仕切壁を効率良く冷却することができる。その結果として、仕切壁に熱的に結合された駆動回路の冷却性を良好なものにすることができる。
【００１３】
請求項２に記載の発明は、請求項１に記載の発明において、前記電動モータを構成するロータと一体的に回転する回転軸が前記ハウジング内に収容されており、前記圧縮部、前記電動モータ及び前記駆動回路がこの順序で前記回転軸の軸方向に沿って並んで配置され、前記電気的接続部の少なくとも一部を構成するとともに前記電動モータから前記挿通空間に向けて引き出されるリード線は、前記圧縮部側から引き出されていることを要旨とする。
【００１４】
このような直列配置の電動圧縮機は、本発明の適用対象として特に好適である。
請求項３に記載の発明は、請求項２に記載の発明において、前記電気的接続部は、前記リード線と、前記導電部材と前記リード線とを電気的に接続する接続端子を内部に収容するクラスタブロックとからなり、前記クラスタブロックが前記挿通空間に配設されるとともに、前記電動モータのステータコアの外周面に取り付けられていることを要旨とする。
【００１５】
この発明によれば、クラスタブロックがステータコアの外周面に取り付けられているため、クラスタブロックを配置しても電動圧縮機自体の体格が軸方向へ大型化することがない。また、電動圧縮機の組み立ての際に、ステータコアの外周面に取り付けられたクラスタブロックがハウジングに干渉しないように、クラスタブロックとハウジングとの間には隙間が設けられている。しかし、本発明では、挿通空間に抑制部材が設けられている。よって、抑制部材により、吸入ポートからハウジング内に吸入された冷媒が、クラスタブロックとハウジングとの間の隙間を介して吐出ポート側へ流れることを抑制することができる。
【００１６】
請求項４に記載の発明は、請求項３に記載の発明において、前記抑制部材は前記クラスタブロックに一体的に設けられていることを要旨とする。
この発明によれば、クラスタブロックはステータコアの外周面に取り付けられていることから、クラスタブロック自体が位置決めされており、その位置決めされた状態のクラスタブロックに抑制部材を一体的に設けることにより、抑制部材自体を位置決めし易くすることができる。
【００１７】
請求項５に記載の発明は、請求項１〜請求項４のいずれか一項に記載の発明において、前記抑制部材は、前記ハウジング及び前記電動モータと接触していることを要旨とする。
この発明によれば、抑制部材がハウジング及び電動モータと接触しているため、抑制部材の移動が規制され、抑制部材を挿通空間内において固定することができる。
【００１８】
請求項６に記載の発明は、ハウジング内に形成される第１空間に圧縮部、及び前記圧縮部の駆動源である電動モータが収容されており、前記電動モータを駆動させるための駆動回路が、仕切壁により前記第１空間から隔離された第２空間に配設され、前記駆動回路と電気的に接続された導電部材が前記仕切壁に固定され、前記導電部材と前記電動モータとを電気的に接続する電気的接続部の一部が、前記ハウジングと前記圧縮部との間に形成された挿通空間に挿通されており、前記仕切壁に前記駆動回路が熱的に結合された電動圧縮機であって、前記ハウジングには、吸入ポートが形成されるとともに、前記吸入ポート及び前記挿通空間よりも前記仕切壁から離れた位置に吐出ポートが形成されており、さらに、前記挿通空間には、前記圧縮部より吐出された冷媒が、前記挿通空間を介して前記ハウジング内における前記仕切壁側へ流れることを抑制する抑制部材が設けられていることを要旨とする。
【００１９】
圧縮部で圧縮されて圧縮部より吐出された冷媒は高温高圧となっている。この吐出された高温高圧の冷媒が、挿通空間を介して仕切壁側へ流れることを抑制部材により抑制することができる。よって、圧縮部より吐出された冷媒のほとんどが吐出ポートに向けて流れるため、高温高圧の冷媒により仕切壁が温められてしまうことを抑制することができる。その結果として、仕切壁に熱的に結合された駆動回路が温められてしまうことを抑制することができ、駆動回路の冷却性が悪化してしまうことを抑制することができる。
【００２０】
請求項７に記載の発明は、請求項１〜請求項６のいずれか一項に記載の発明において、前記駆動回路は、前記第２空間において前記仕切壁に取り付けられていることを要旨とする。
【００２１】
この発明によれば、吸入ポートから吸入された冷媒によって仕切壁が冷却されることにより、駆動回路を効率良く冷却することができる。
請求項８に記載の発明は、請求項１〜請求項７のいずれか一項に記載の発明において、前記抑制部材は樹脂材料からなることを要旨とする。
【００２２】
この発明によれば、抑制部材を挿通空間に配設する際に、抑制部材が変形するため、抑制部材における挿通空間への組み付けを容易なものとすることができる。
請求項９に記載の発明は、請求項１〜請求項８のいずれか一項に記載の発明において、前記抑制部材には、前記電気的接続部の一部が挿通される挿通部が設けられていることを要旨とする。
【００２３】
この発明によれば、例えば、挿通空間を形成するハウジング等に電気的接続部の一部が挿通される挿通部を設ける必要が無い。よって、抑制部材により挿通部を設けることができるため、挿通部を設けるために電動圧縮機自体の構成が複雑化してしまうことを回避することができる。
【発明の効果】
【００２４】
この発明によれば、駆動回路の冷却性を良好なものにすることができる。
【図面の簡単な説明】
【００２５】
【図１】第１の実施形態における電動圧縮機を示す側断面図。
【図２】抑制部材の周辺を拡大して示す断面図。
【図３】図２におけるＡ−Ａ線断面図。
【図４】第２の実施形態における電動圧縮機を示す側断面図。
【図５】別の実施形態における抑制部材の周辺を拡大して示す断面図。
【図６】図５におけるＢ−Ｂ線断面図。
【図７】別の実施形態における抑制部材の周辺を拡大して示す断面図。
【図８】図７におけるＣ−Ｃ線断面図。
【図９】別の実施形態における抑制部材の周辺を拡大して示す断面図。
【図１０】図９におけるＤ−Ｄ線断面図。
【発明を実施するための形態】
【００２６】
（第１の実施形態）
以下、本発明を具体化した第１の実施形態を図１〜図３にしたがって説明する。
図１に示すように、電動圧縮機１０は、金属材料製（本実施形態ではアルミニウム製）の有底円筒状をなす吸入ハウジング１１と、吸入ハウジング１１の開口端（図１の左端）に接合された金属材料製（本実施形態ではアルミニウム製）の吐出ハウジング１２とを有している。吸入ハウジング１１と吐出ハウジング１２との間には吐出室１３が区画形成されている。吸入ハウジング１１の底壁１１ｅには、金属材料製（本実施形態ではアルミニウム製）のインバータハウジング１７が接合されている。そして、吸入ハウジング１１、吐出ハウジング１２及びインバータハウジング１７により、本実施形態の電動圧縮機１０のハウジングＨ１が形成されている。
【００２７】
ハウジングＨ１内には、底壁１１ｅ、吸入ハウジング１１の周壁、及び吐出ハウジング１２によって第１空間Ｋ１が区画されるとともに、底壁１１ｅ及びインバータハウジング１７によって第２空間Ｋ２が区画されている。よって、ハウジングＨ１内は、底壁１１ｅによって第１空間Ｋ１と第２空間Ｋ２とに仕切られており、底壁１１ｅが仕切壁として機能する。
【００２８】
第１空間Ｋ１内には、冷媒を圧縮するための圧縮部１５と、圧縮部１５の駆動源である電動モータ１６とが収容されている。第２空間Ｋ２内には電動モータ１６を駆動させるための駆動回路としてのインバータ３０（図１において二点鎖線で示す）が収容されている。インバータ３０は、第２空間Ｋ２において、底壁１１ｅの外面に密着した状態で取り付けられており、底壁１１ｅと熱的に結合されている。
【００２９】
圧縮部１５は、吸入ハウジング１１内に固定された固定スクロール２０と、固定スクロール２０に対向配置された可動スクロール２１とで構成されている。固定スクロール２０と可動スクロール２１との間には容積変更可能な圧縮室２２が区画形成されている。吸入ハウジング１１内には回転軸２３が収容されている。回転軸２３は、ラジアルベアリング２３ａ，２３ｂを介して吸入ハウジング１１によって回転可能に支持されている。
【００３０】
電動モータ１６は、圧縮部１５よりも吸入ハウジング１１の底壁１１ｅ（図１の右側）寄りに配置されている。よって、本実施形態では、圧縮部１５、電動モータ１６及びインバータ３０が、この順序で、回転軸２３の軸線Ｌの延びる方向（軸方向）に沿って並ぶようにハウジングＨ１内に収容されている。
【００３１】
吸入ハウジング１１の内周面にはステータ２５（固定子）が固定されるとともに、ステータ２５は、吸入ハウジング１１の内周面に固定された環状のステータコア２６のティース（図示せず）にコイル２７が巻回されて構成されている。ステータコア２６は、磁性体（電磁鋼板）であるコア板２６ａを複数枚積層することで構成されている。ステータコア２６の外周面２６ｃには挿入凹部２６ｂが形成されている。挿入凹部２６ｂは、複数枚のコア板２６ａのうちの数枚（本実施形態では４枚）のコア板２６ａの外周面を切り欠くことで形成されている。ステータ２５の内側にはロータ２８（回転子）が設けられている。ロータ２８は、回転軸２３に止着されたロータコア２８ａと、ロータコア２８ａの周面に設けられた複数の永久磁石２８ｂとからなる。
【００３２】
吸入ハウジング１１の上方側に位置する部位の一部には、径方向外側に突出する通路形成部１１ｃが形成されている。通路形成部１１ｃの内側には、通路形成部１１ｃの内面１１１ｃとステータコア２６の外周面２６ｃとによって挿通空間５１が区画されている。挿通空間５１には、合成樹脂製の矩形箱状をなすクラスタブロック４１が配設されている。クラスタブロック４１内には、接続端子２７ｂが配設されている。図３に示すように、クラスタブロック４１の外底面４１ａは、ステータコア２６の外周面２６ｃに沿うように円弧状をなしており、ステータコア２６の軸方向と平行に延びている。
【００３３】
図１に示すように、クラスタブロック４１の外底面４１ａには取付用突起４２が設けられている。取付用突起４２は、挿入凹部２６ｂに挿入可能になっており、取付用突起４２が挿入凹部２６ｂに挿入されることで、クラスタブロック４１がステータコア２６の外周面２６ｃに取り付けられる。クラスタブロック４１がステータコア２６の外周面２６ｃに取り付けられた状態において、クラスタブロック４１の外底面４１ａとステータコア２６の外周面２６ｃとの間には隙間Ｃ１が形成されるとともに、クラスタブロック４１と通路形成部１１ｃの内面１１１ｃとの間には隙間Ｃ２が形成されている。
【００３４】
コイル２７における圧縮部１５側のコイルエンドからはＵ相、Ｖ相、Ｗ相の各リード線２７ａ（図１では１本のみ図示）の始端が挿通空間５１に向けて引き出されている。そして、各リード線２７ａの始端は、クラスタブロック４１の第１挿通孔４１ｃを通って接続端子２７ｂに接続されている。各リード線２７ａの一部は挿通空間５１を通過している。
【００３５】
吸入ハウジング１１の底壁１１ｅには貫通孔１１ｂが形成されている。貫通孔１１ｂには密封端子３３が配設されている。密封端子３３には、インバータ３０と電気的に接続される導電部材としての金属端子３４と、金属端子３４を底壁１１ｅに対し絶縁しつつ固定するガラス製の絶縁部材３５とがそれぞれ３本ずつ（図１では一本ずつのみ図示）設けられている。金属端子３４の一端はケーブル３７を介してインバータ３０と電気的に接続されている。金属端子３４の他端は挿通空間５１に向けて延び、クラスタブロック４１の第２挿通孔４１ｄを通ってクラスタブロック４１内に挿入されて接続端子２７ｂと電気的に接続されている。よって、本実施形態では、リード線２７ａ及びクラスタブロック４１によって、金属端子３４と電動モータ１６とを電気的に接続する電気的接続部が構成されている。
【００３６】
通路形成部１１ｃ（吸入ハウジング１１）には吸入ポート１８が形成されている。吸入ポート１８には外部冷媒回路が接続されている。吸入ポート１８は、通路形成部１１ｃにおいて、底壁１１ｅに隣接する位置に配置されるとともに、挿通空間５１に向けて開口している。吐出ハウジング１２の一端壁（図１の左端）には吐出ポート１４が形成されており、吐出ポート１４には図示しない外部冷媒回路が接続されている。よって、吐出ポート１４は、ハウジングＨ１において、吸入ポート１８及び挿通空間５１よりも底壁１１ｅから離れた位置に配置されている。
【００３７】
図２に示すように、ステータコア２６の外周面２６ｃと通路形成部１１ｃの内面１１１ｃとの間には、樹脂材料製の抑制部材６１が設けられている。抑制部材６１において、クラスタブロック４１側の一端面６１ａには、クラスタブロック４１における第１挿通孔４１ｃ側の端部４１ｅが嵌合可能な嵌合凹部６１ｂが形成されている。そして、クラスタブロック４１の端部４１ｅが嵌合凹部６１ｂに嵌合されることで、抑制部材６１がクラスタブロック４１に一体的に設けられている。
【００３８】
抑制部材６１には各リード線２７ａが挿通される挿通部としての挿通孔６１ｄが形成されている。図３に示すように、抑制部材６１の底面６１ｃは、ステータコア２６の外周面２６ｃに沿うように円弧状をなしており、ステータコア２６の軸方向と平行に延びている。そして、抑制部材６１の底面６１ｃはステータコア２６の外周面２６ｃと接触している。また、抑制部材６１における通路形成部１１ｃの内面１１１ｃと対向する外面６１ｅは、通路形成部１１ｃの内面１１１ｃに沿うように形成されている。そして、抑制部材６１の外面６１ｅは通路形成部１１ｃの内面１１１ｃと接触している。よって、抑制部材６１は、抑制部材６１の底面６１ｃとステータコア２６の外周面２６ｃとの接触、及び抑制部材６１の外面６１ｅと通路形成部１１ｃの内面１１１ｃとの接触により、挿通空間５１内において移動が規制されている。また、嵌合凹部６１ｂの底面６１１ｂは、クラスタブロック４１の外底面４１ａに沿うように円弧状をなしている。
【００３９】
図１に示すように、ステータコア２６の外周面２６ｃに、リード線２７ａと接続端子２７ｂとが接続されたクラスタブロック４１が取り付けられた状態のステータ２５は、焼き嵌めによって吸入ハウジング１１の内側に嵌合される。この焼き嵌めは、吸入ハウジング１１が加熱膨張された後に吸入ハウジング１１内に、クラスタブロック４１が挿通空間５１に挿通されるようにしてステータ２５を入れ、吸入ハウジング１１の常温への移行に伴う収縮によって吸入ハウジング１１をステータ２５の外周面に圧接させることにより行われる。そして、ステータ２５が吸入ハウジング１１の内側に嵌合された状態において、貫通孔１１ｂに密封端子３３を配設するとともに、金属端子３４を第２挿通孔４１ｄを通して接続端子２７ｂに接続する。
【００４０】
続いて、予め各挿通孔６１ｄに各リード線２７ａが挿通された状態の抑制部材６１を、クラスタブロック４１の端部４１ｅに嵌合凹部６１ｂが嵌合されるように、挿通空間５１に挿入する。すると、抑制部材６１により、クラスタブロック４１の外底面４１ａとステータコア２６の外周面２６ｃとの間の隙間Ｃ１と、クラスタブロック４１と通路形成部１１ｃの内面１１１ｃとの間の隙間Ｃ２とが塞がれる。すなわち、抑制部材６１は、クラスタブロック４１と各リード線２７ａとを跨ぐように設けられている。
【００４１】
次に、上記構成の電動圧縮機１０における作用について説明する。
電動圧縮機１０において、インバータ３０によって制御された電力が電動モータ１６に供給されることにより、制御された回転速度でロータ２８と共に回転軸２３を回転させる。すると、圧縮部１５において、固定スクロール２０と可動スクロール２１との間の圧縮室２２が容積減少する。そして、外部冷媒回路から吸入ポート１８を介して吸入ハウジング１１内に冷媒が吸入される。吸入ハウジング１１内に吸入された冷媒は、底壁１１ｅに沿って流れる冷媒と、挿通空間５１を介して圧縮部１５側に向かって流れる冷媒とに分散される。
【００４２】
ここで、挿通空間５１には抑制部材６１が設けられており、この抑制部材６１によりクラスタブロック４１の外底面４１ａとステータコア２６の外周面２６ｃとの間の隙間Ｃ１と、クラスタブロック４１と通路形成部１１ｃの内面１１１ｃとの間の隙間Ｃ２とが塞がれている。よって、吸入ポート１８から吸入ハウジング１１内に吸入された冷媒が、圧縮部１５側（吐出ポート１４側）へ流れることが抑制部材６１により抑制されている。そして、吸入ポート１８から吸入ハウジング１１内に吸入された冷媒のほとんどは、底壁１１ｅに向かって流れるため、底壁１１ｅに向かって流れた冷媒により底壁１１ｅが効率良く冷却されるとともに、底壁１１ｅに熱的に結合されたインバータ３０が冷却される。
【００４３】
続いて、底壁１１ｅに向かって流れた冷媒は、吸入ハウジング１１の内周面とステータ２５の外周面との間に形成された通路（図示せず）を介して吸入ハウジング１１における電動モータ１６よりも圧縮部１５側へ流出する。そして、吸入ハウジング１１における電動モータ１６よりも圧縮部１５側へ流出した冷媒は、圧縮室２２へ吸入されて圧縮室２２で圧縮される。圧縮室２２内で圧縮された冷媒は吐出室１３へ吐出されるとともに、吐出室１３に吐出された冷媒は、吐出ポート１４を介して外部冷媒回路へ流出して吸入ハウジング１１内へ還流される。
【００４４】
上記実施形態では以下の効果を得ることができる。
（１）ステータコア２６の外周面２６ｃと通路形成部１１ｃの内面１１１ｃとの間には抑制部材６１が設けられている。よって、この抑制部材６１により、吸入ポート１８から吸入ハウジング１１内に吸入された冷媒が、クラスタブロック４１の外底面４１ａとステータコア２６の外周面２６ｃとの間の隙間Ｃ１と、クラスタブロック４１と通路形成部１１ｃの内面１１１ｃとの間の隙間Ｃ２を介して圧縮部１５側（吐出ポート１４側）へ流れることを抑制することができる。したがって、吸入ポート１８から吸入ハウジング１１内に吸入された冷媒のほとんどを底壁１１ｅに向けて流すことができ、底壁１１ｅに向かって流れた冷媒によって底壁１１ｅを効率良く冷却することができる。その結果として、底壁１１ｅに熱的に結合されたインバータ３０の冷却性を良好なものにすることができる。
【００４５】
（２）本実施形態の電動圧縮機１０では、圧縮部１５、電動モータ１６及びインバータ３０がこの順序で回転軸２３の軸方向に沿って並んで配置されている。そして、リード線２７ａは、圧縮部１５側のコイルエンドから引き出されている。そのため、電動モータ１６とインバータ３０とを両者間の狭い空間（図示の例ではステータコア２６におけるインバータ３０側の端面と吸入ハウジング１１の底壁１１ｅとの間）内で電気的に結線する必要がない。つまり、圧縮部１５、電動モータ１６及びインバータ３０をこの順に直列配置した電動圧縮機１０では、圧縮部１５側からリード線２７ａをクラスタブロック４１内の接続端子２７ｂに接続することができるとともにクラスタブロック４１内の接続端子２７ｂに金属端子３４を接続するという簡単な結線作業で済む。よって、電動圧縮機１０を組み立てるときの作業効率が向上する。また、クラスタブロック４１がステータコア２６に取り付けられた状態で、貫通孔１１ｂに密封端子３３を配設することにより、金属端子３４と接続端子２７ｂとを電気的に接続することができる。よって、密封端子３３の貫通孔１１ｂに対する取り付けと、金属端子３４と接続端子２７ｂとの接続作業を同時に行うことができる。
【００４６】
（３）クラスタブロック４１は、ステータコア２６の外周面２６ｃに取り付けられている。よって、クラスタブロック４１を配置しても電動圧縮機１０自体の体格が軸方向へ大型化することがない。また、電動圧縮機１０の組み立ての際に、ステータコア２６の外周面２６ｃに取り付けられたクラスタブロック４１が通路形成部１１ｃに干渉しないように、クラスタブロック４１と通路形成部１１ｃの内面１１１ｃとの間には隙間Ｃ２が設けられている。しかし、本実施形態では、ステータコア２６の外周面２６ｃと吸入ハウジング１１との間に抑制部材６１が設けられている。よって、抑制部材６１により、吸入ポート１８から吸入ハウジング１１内に吸入された冷媒が、クラスタブロック４１と通路形成部１１ｃとの間の隙間Ｃ２を介して圧縮部１５側へ流れることを抑制することができる。
【００４７】
（４）抑制部材６１はクラスタブロック４１に一体的に設けられている。クラスタブロック４１はステータコア２６の外周面２６ｃに取り付けられていることから、クラスタブロック４１自体が位置決めされており、その位置決めされた状態のクラスタブロック４１に抑制部材６１を一体的に設けることにより、抑制部材６１自体を位置決めし易くすることができる。
【００４８】
（５）抑制部材６１の底面６１ｃとステータコア２６の外周面２６ｃとが接触しているとともに、抑制部材６１の外面６１ｅと通路形成部１１ｃの内面１１１ｃとが接触している。よって、これら接触により、挿通空間５１内における抑制部材６１の移動を規制することができ、抑制部材６１を挿通空間５１内において固定することができる。
【００４９】
（６）インバータ３０は、第２空間Ｋ２において底壁１１ｅの外面に取り付けられている。よって、例えば、インバータ３０が第２空間Ｋ２においてインバータハウジング１７に取り付けられている場合に比べて、吸入ポート１８から吸入された冷媒によって底壁１１ｅが冷却されることにより、インバータ３０を効率良く冷却することができる。
【００５０】
（７）抑制部材６１は樹脂材料からなる。よって、クラスタブロック４１の端部４１ｅに嵌合凹部６１ｂが嵌合されるように、抑制部材６１を挿通空間５１に挿入する際に、抑制部材６１が吸入ハウジング１１に干渉したとしても、抑制部材６１が変形することで、挿通空間５１内に抑制部材６１を容易に組み付けることができる。
【００５１】
（８）抑制部材６１には各リード線２７ａが挿通される挿通孔６１ｄが形成されている。よって、例えば、挿通空間５１を形成する通路形成部１１ｃやステータコア２６に挿通孔を形成する必要が無い。よって、抑制部材６１により挿通孔６１ｄを設けることができるため、挿通孔を設けるために電動圧縮機１０自体の構成が複雑化してしまうことを回避することができる。
【００５２】
（第２の実施形態）
以下、本発明を具体化した第２の実施形態を図４にしたがって説明する。なお、以下に説明する実施形態では、既に説明した第１の実施形態と同一構成について同一符号を付すなどして、その重複する説明を省略又は簡略する。
【００５３】
図４に示すように、電動圧縮機７０は、金属材料製（本実施形態ではアルミニウム製）の有底円筒状をなす第１ハウジング７１と、第１ハウジング７１の開口端（図４の左端）に接合された有底円筒状をなす第２ハウジング７２とを有している。第２ハウジング７２の底壁７２ｅには、金属材料製（本実施形態ではアルミニウム製）のインバータハウジング７３が接合されている。そして、第１ハウジング７１、第２ハウジング７２及びインバータハウジング７３により、本実施形態の電動圧縮機７０のハウジングＨ２が形成されている。
【００５４】
ハウジングＨ２内には、底壁７２ｅ、第２ハウジング７２の周壁、及び第１ハウジング７１によって第１空間Ｋ３が区画されるとともに、底壁７２ｅ及びインバータハウジング７３によって第２空間Ｋ４が区画されている。よって、ハウジングＨ２内は、底壁７２ｅによって第１空間Ｋ３と第２空間Ｋ４とに仕切られており、底壁７２ｅが仕切壁として機能する。
【００５５】
第１空間Ｋ３内には圧縮部１５及び電動モータ１６が収容されている。第２空間Ｋ４内には駆動回路としてのインバータ３０が収容されている。インバータ３０は、第２空間Ｋ４において、底壁７２ｅの外面に密着した状態で取り付けられており、底壁７２ｅと熱的に結合されている。電動モータ１６は、圧縮部１５よりも第１ハウジング７１の底壁７１ｅ（図４の右側）寄りに配置されている。よって、本実施形態では、インバータ３０、圧縮部１５及び電動モータ１６が、この順序で、回転軸２３の軸線Ｌの延びる方向（軸方向）に沿って並ぶようにハウジングＨ２内に収容されている。
【００５６】
第２ハウジング７２と固定スクロール２０との間には、吸入室７４、吐出室７５及びクラスタブロック７８が収容される収容室７８ｃが区画形成されている。固定スクロール２０の外周面と第１ハウジング７１の内周面との間には、収容室７８ｃと第１ハウジング７１内における電動モータ１６よりも圧縮部１５側の空間とを連通させる挿通空間７６が区画されている。
【００５７】
コイル２７における圧縮部１５側のコイルエンドからはＵ相、Ｖ相、Ｗ相の各リード線２７ａ（図４では１本のみ図示）の始端が挿通空間７６に向けて引き出されている。そして、各リード線２７ａの始端は、収容室７８ｃ内に収容されたクラスタブロック７８の第１挿通孔７８ａを通って接続端子２７ｂに接続されている。各リード線２７ａの一部は挿通空間７６を通過している。
【００５８】
第２ハウジング７２の底壁７２ｅには貫通孔７２ｂが形成されている。貫通孔７２ｂには密封端子３３が配設されている。密封端子３３の金属端子３４は、クラスタブロック７８の第２挿通孔７８ｂを通ってクラスタブロック７８内に挿入されて接続端子２７ｂと電気的に接続されている。よって、本実施形態では、リード線２７ａ及びクラスタブロック７８によって、金属端子３４と電動モータ１６とを電気的に接続する電気的接続部が構成されている。
【００５９】
第２ハウジング７２には吸入ポート７２ａが形成されている。吸入ポート７２ａは底壁７２ｅに隣接する位置に配置されるとともに、吸入室７４に向けて開口している。第１ハウジング７１の周壁には吐出ポート７１ａが形成されている。吐出ポート７１ａは、第１ハウジング７１の周壁において、底壁７１ｅに隣接する位置に配置されている。よって、吐出ポート７１ａは、ハウジングＨ２において、吸入ポート７２ａ及び挿通空間７６よりも底壁７２ｅから離れた位置に配置されている。
【００６０】
挿通空間７６には抑制部材８１が配設されている。抑制部材８１には各リード線２７ａが挿通可能な挿通部としての挿通孔８１ａが形成されている。そして、抑制部材８１が挿通空間７６に配設されることにより、挿通空間７６と各リード線２７ａとの間の隙間Ｃ３を介した収容室７８ｃと第１ハウジング７１内における電動モータ１６よりも圧縮部１５側の空間との連通が抑制されている。
【００６１】
次に、上記構成の電動圧縮機７０における作用について説明する。
電動圧縮機７０において、外部冷媒回路から吸入ポート７２ａを介して吸入室７４内に吸入された冷媒は、固定スクロール２０に形成される通路（図示せず）を介して圧縮室２２へ吸入されて圧縮室２２で圧縮される。圧縮室２２内で圧縮された冷媒は吐出室７５へ吐出されるとともに、吐出室７５に吐出された冷媒は、第１ハウジング７１に形成される通路（図示せず）を介して第１ハウジング７１内における電動モータ１６よりも圧縮部１５側の空間へ流出する。
【００６２】
続いて、第１ハウジング７１内における電動モータ１６よりも圧縮部１５側の空間へ流出した冷媒は、吐出ポート７１ａに向かって流れる冷媒と、挿通空間７６に向かって流れる冷媒とに分散される。
【００６３】
ここで、挿通空間７６には抑制部材８１が設けられており、この抑制部材８１により挿通空間７６と各リード線２７ａとの間の隙間Ｃ３が塞がれている。よって、圧縮部１５より吐出された冷媒が、第１ハウジング７１内における電動モータ１６よりも圧縮部１５側の空間から挿通空間７６を介して収容室７８ｃへ流れることが抑制部材８１により抑制されている。そして、第１ハウジング７１内における電動モータ１６よりも圧縮部１５側の空間へ流出した冷媒のほとんどは、吐出ポート７１ａに向かって流れる。続いて、吐出ポート７１ａに向かって流れた冷媒は、吐出ポート７１ａを介して外部冷媒回路へ流出して吸入室７４内へ還流される。
【００６４】
したがって、第２の実施形態によれば以下の効果を得ることができる。
（９）圧縮部１５で圧縮されて圧縮部１５より吐出された冷媒は高温高圧となっている。この吐出された高温高圧の冷媒が、挿通空間７６を介して底壁７２ｅ側へ流れることを抑制部材８１により抑制することができる。よって、圧縮部１５より吐出された冷媒のほとんどが吐出ポート７１ａに向けて流れるため、高温高圧の冷媒により底壁７２ｅが温められてしまうことを抑制することができる。その結果として、底壁７２ｅに熱的に結合されたインバータ３０が温められてしまうことを抑制することができ、インバータ３０の冷却性が悪化してしまうことを抑制することができる。
【００６５】
なお、上記実施形態は以下のように変更してもよい。
○  第１の実施形態において、抑制部材６１がクラスタブロック４１に一体的に設けられていなくてもよい。例えば、図５及び図６に示すように、各リード線２７ａに抑制部材９１が一体的に設けられていてもよい。抑制部材９１には各リード線２７ａが挿通される挿通部としての挿通孔９１ａが形成されている。抑制部材９１は挿通空間５１に配設されている。そして、この抑制部材９１により挿通空間５１と各リード線２７ａとの間の隙間Ｃ４が塞がれている。
【００６６】
○  第１の実施形態において、抑制部材６１は、クラスタブロック４１と各リード線２７ａとを跨ぐように設けられていたが、これに限らず、クラスタブロック４１周りのみに設けられるようにしてもよい。
【００６７】
○  第１の実施形態において、圧縮部１５、電動モータ１６及びインバータ３０がこの順序で回転軸２３の軸方向に沿って並んで配置されていなくてもよい。例えば、インバータカバーが吸入ハウジング１１の周壁に固設されているとともに、吸入ハウジング１１の周壁とインバータカバーとによって区画される第２空間にインバータ３０が収容されていてもよい。この場合、吸入ハウジング１１の周壁が仕切壁として機能する。
【００６８】
○  第１の実施形態において、取付用突起４２がステータコア２６の挿入凹部２６ｂに挿入されることで、クラスタブロック４１がステータコア２６の外周面２６ｃに取り付けられる構成としたが、クラスタブロック４１をステータコア２６の外周面２６ｃに取り付けるための構成は、これに限られるものではない。
【００６９】
○  第１の実施形態において、クラスタブロック４１がステータコア２６の外周面２６ｃに取り付けられていなくてもよい。
○  上記各実施形態において、例えば、図７及び図８に示すように、抑制部材９５の底面９５１に挿通部としての挿通凹部９５ａを形成するとともに、挿通凹部９５ａ内に各リード線２７ａが挿通されるようにしてもよい。
【００７０】
○  図９及び図１０に示すように、抑制部材９８の底面９８ａとステータコア２６の外周面２６ｃとが接触しておらず、抑制部材９８の底面９８ａとステータコア２６の外周面２６ｃとの間に僅かな隙間が設けられていてもよい。
【００７１】
○  抑制部材６１，９１は、挿通空間５１内に形成される隙間Ｃ１，Ｃ２，Ｃ４を完全に塞ぐ構成でなくてもよく、僅かな隙間が設けられる構成であってもよい。同様に、抑制部材８１は、挿通空間７６内に形成される隙間Ｃ３を完全に塞ぐ構成でなくてもよく、僅かな隙間が設けられる構成であってもよい。
【００７２】
○  上記各実施形態において、インバータ３０は、第２空間Ｋ２，Ｋ４において底壁１１ｅ，７２ｅの外面に取り付けられていたが、これに限らず、例えば、第２空間Ｋ２，Ｋ４においてインバータハウジング１７，７３に取り付けられていてもよい。この場合であっても、底壁１１ｅ，７２ｅとインバータハウジング１７，７３とは熱的に結合されているため、底壁１１ｅ，７２ｅが冷媒により冷却されることで、底壁１１ｅ，７２ｅを介してインバータハウジング１７，７３が冷却され、その結果として、インバータ３０を冷却することができる。
【００７３】
○  上記各実施形態において、抑制部材６１，８１，９１，９５，９８を金属材料製やゴム製にしてもよい。
○  上記各実施形態において、圧縮部１５は、固定スクロール２０と可動スクロール２１とで構成されるタイプに限定されるものではなく、例えば、ピストンタイプやベーンタイプなどに変更してもよい。
【００７４】
次に、上記実施形態及び別例から把握できる技術的思想について以下に追記する。
（イ）前記電動モータを構成するロータと一体的に回転する回転軸が前記ハウジング内に収容されており、前記駆動回路、前記圧縮部及び前記電動モータがこの順序で前記回転軸の軸方向に沿って並んで配置されていることを特徴とする請求項６に記載の電動圧縮機。
【符号の説明】
【００７５】
Ｃ１，Ｃ２，Ｃ３，Ｃ４…隙間、Ｈ１，Ｈ２…ハウジング、Ｋ１，Ｋ３…第１空間、Ｋ２，Ｋ４…第２空間、１０，７０…電動圧縮機、１１ｅ，７２ｅ…仕切壁として機能する底壁、１４，７１ａ…吐出ポート、１５…圧縮部、１６…電動モータ、１８，７２ａ…吸入ポート、２３…回転軸、２６…ステータコア、２６ｃ…外周面、２７ａ…電気的接続部を構成するリード線、２７ｂ…接続端子、２８…ロータ、３０…駆動回路としてのインバータ、３４…導電部材としての金属端子、４１，７８…電気的接続部を構成するクラスタブロック、５１，７６…挿通空間、６１，８１，９１，９５，９８…抑制部材、６１ｄ，８１ａ，９１ａ…挿通部としての挿通孔、９５ａ…挿通部としての挿通凹部。
【図１】
0005505356.tif 000002
【図２】
0005505356.tif 000003
【図３】
0005505356.tif 000004
【図４】
0005505356.tif 000005
【図５】
0005505356.tif 000006
【図６】
0005505356.tif 000007
【図７】
0005505356.tif 000008
【図８】
0005505356.tif 000009
【図９】
0005505356.tif 000010
【図１０】
0005505356.tif 000011